(57)【特許請求の範囲】
【請求項１】
ケース内にポンプ室を形成する複数のダイヤフラムを備え、偏心回転軸により揺動される揺動体によって前記ダイヤフラムが上下動されてポンプ動作を行う小型ポンプに於て、前記ケースから延設されて該ケースの中心部に設けられた延設部に下方に開口する凹部が形成されると共に、該ケースの下部側に配置された回転体の中心位置から離間した位置に上方に開口する凹部が形成され、且つ、前記揺動体中心部に貫通されて固着された前記偏心回転軸の上端と下端とが前記上下２つの凹部に夫々遊嵌されて成ることを特徴とする小型ポンプ。
【発明の詳細な説明】
【０００１】
【発明の属する技術分野】
この発明は、小型ポンプに関するものであり、特に、血圧計等に用いられ、且つ、ダイヤフラムを使用する小型ポンプに関するものである。
【０００２】
【従来の技術】
従来の此種小型ポンプを図２に従って説明する。図に於て１は小型ポンプを示し、該小型ポンプ１は平面視長方形のケース２内にポンプ室３，３を形成する２個のダイヤフラム４，４が設けられ、該ダイヤフラム４，４は互いに一体に連結されてダイヤフラム集合体５を形成している。そして、該ダイヤフラム集合体５の中央部には円筒状の排気弁体６が形成され、該排気弁体６は前記ケース２の上板７中央部に開穿された排気孔８内壁に圧接されている。又、該上板７には前記ダイヤフラム４，４の上方に位置して夫々傘型の吸気弁体９，９が取付けられている。該吸気弁体９，９は前記ダイヤフラム４，４側に傘部９ａ，９ａが形成され、そして、前記上板７に開穿された小孔１０，１０を貫通し、更に、前記上板７の上方に該小孔１０，１０より大径の止着部９ｂ，９ｂが形成されており、これによって前記吸気弁体９，９は前記上板７に圧着されている。又、前記小孔１０，１０の周縁部近傍には数個の吸気孔１１，１１…が形成され、前記吸気弁体９，９の前記傘部９ａ，９ａが該吸気孔１１，１１…を密閉している。
【０００３】
更に、前記ダイヤフラム４，４の下端部に揺動体１２が揺動自在に連結され、該揺動体１２は回転する偏心軸１３によって揺動するように構成されている。そして、該偏心軸１３の上端は前記揺動体１２の下部中心部に於て下方に突設して設けられたボス部１４内の挿入孔１４ａに遊嵌され、下端はモータ１５の回転駆動軸１６に固設された回転体１７の中心位置から離間した位置に形成された圧入孔１７ａに圧入されている。又、前記ボス部１４内挿入孔１４ａ内には前記偏心軸１３の先端部が該挿入孔１４ａ内で該挿入孔１４ａ内面を損傷することなく円滑に回転するようにボール１８が内装されている。
【０００４】
而して、前記モータ１５の回転駆動軸１６が回転し、これにより前記回転体１７が回転し該回転体１７の前記圧入孔１７ａに圧入された前記偏心軸１３が回転すると前記揺動体１２が揺動し、前記ダイヤフラム４，４の下端部を上下動させる。そして、一方のダイヤフラム４の下端部が前記揺動体１２により下動された時、該ダイヤフラム４内は負圧になり、前記排気弁体６は前記排気孔８を密閉し、一方、前記吸気弁体９の傘部９ａが開き前記吸気孔１１を密閉状態から解放して吸気が行われる。次に、前記ダイヤフラム４の下端部が上動された時、前記ダイヤフラム４内は高圧になり、前記吸気弁体９は前記吸気孔１１を密閉状態にすると共に前記排気弁体６と前記排気孔８間が開放されて排気が行われる。
【０００５】
【発明が解決しようとする課題】
上記従来例の小型ポンプは、モータの回転駆動軸が回転して該回転駆動軸に固着された回転体が回転し、これによって、該回転体の圧入孔に圧入された偏心軸が回転すると揺動体が揺動し、該揺動体の揺動によりダイヤフラム下端部が上下動し、該ダイヤフラムの上下動に連動して吸気弁体及び排気弁体が動作し吸排気を行っていた。
【０００６】
然しながら、前記偏心軸の上端は前記揺動体の下部中心部に於て下方に突設して設けられたボス部内の挿通孔に遊嵌され、且つ、該挿通孔内にはボールが内装されているため、前記偏心軸を回転させ、前記揺動体を揺動させて、前記ダイヤフラム下端部を上下動させる時、前記揺動体は前記偏心軸に対して浮き上がりが発生し、該浮き上がりとその戻りによって、前記偏心軸と前記挿通孔内に内装されたボールとが衝突して衝撃音が発生していた。
【０００７】
そこで、ダイヤフラムを使用する小型ポンプに於て、該ダイヤフラムを上下動させる揺動体の揺動による騒音を低減させるために解決すべき技術的課題が生じてくるのであり、本発明はこの課題を解決することを目的とする。
【０００８】
【課題を解決するための手段】
本発明は上記目的を達成するために提案されたものであり、ケース内にポンプ室を形成する複数のダイヤフラムを備え、偏心回転軸により揺動される揺動体によって前記ダイヤフラムが上下動されてポンプ動作を行う小型ポンプに於て、前記ケースから延設されて該ケースの中心部に設けられた延設部に下方に開口する凹部が形成されると共に、該ケースの下部側に配置された回転体の中心位置から離間した位置に上方に開口する凹部が形成され、且つ、前記揺動体中心部に貫通されて固着された前記偏心回転軸の上端と下端とが前記上下２つの凹部に夫々遊嵌されて成る小型ポンプを提供するものである。
【０００９】
【発明の実施の形態】
以下、本発明の一実施の形態を図１に従って詳述する。図に於て２１は小型ポンプであり、該小型ポンプ２１は平面視長方形のケース２２内にポンプ室２３，２３を形成する２個のダイヤフラム２４，２４が備えられ、該ダイヤフラム２４，２４の下部中心部には中空状取付体２５，２５が下方に突設して設けられ、該ダイヤフラム２４，２４の下方には、該ダイヤフラム２４，２４の下面を上下動させる揺動体２６が配設されている。尚、前記ケース２２は上ケース２２ａと、中ケース２２ｂと、下ケース２２ｃの３段で構成され、前記ダイヤフラム２４，２４は該ダイヤフラム２４，２４の鍔部２４ａ，２４ａ…が前記上ケース２２ａと前記中ケース２２ｂとの間に挟着されて前記ケース２２に保持されている。
【００１０】
そして、該揺動体２６の周辺部近傍であって、且つ、前記ダイヤフラム２４，２４の夫々の中心部下方に位置して、空気導入孔２７ａ，２７ａを有する軸体２７，２７が上方に突設して設けられ、該軸体２７，２７の外側面に前記ダイヤフラム２４，２４に設けた前記中空状取付体２５，２５の内側面が蜜嵌して前記揺動体２６に前記ダイヤフラム２４，２４が取付けられる。
【００１１】
又、前記ダイヤフラム２４，２４の底部中心部は一部が切開されて、吸気弁体２８，２８が形成されると共に、該切開によって貫通孔２９，２９が設けられ、該吸気弁体２８，２８により、該貫通孔２９，２９を閉塞、開放可能にして吸気弁部Ｖ1，Ｖ1が構成される。尚、前記吸気弁体２８，２８の形成方法は前述の切開方法に限定されるものではなく、他の方法で形成することも可能である。
【００１２】
更に、前記揺動体２６の中心部には該揺動体２６を偏心回転により揺動させる偏心回転軸３０が貫通して固着される。そして、該揺動体２６の上方に前記中ケース２２ｂから延設されて延設部３１が設けられると共に、該延設部３１の下部に下方に開口する凹部３２が形成され、他方、前記下ケース２２ｃの下部側に配置された回転駆動軸３３上端に回転体３４が固着され、該回転体３４上部の中心位置から離間した位置に凹部３５が形成され、前記偏心回転軸３０の上端が前記凹部３２に遊嵌され、下端が前記凹部３５に遊嵌されている。
【００１３】
又、前記上ケース２２ａの中央部には排気孔３６が開穿され、且つ、該上ケース２２ａの下面部の該排気孔３６外周に該排気孔３６と連通する２個の下方に開口する環状凹溝３７，３７が設けられており、該環状凹溝３７，３７を形成する内壁面３７ａ、３７ａに前記ダイヤフラム２４，２４の上端部から成る排気弁体３８，３８を圧接させて排気弁部Ｖ2，Ｖ2が構成されている。
【００１４】
而して、前記回転駆動軸３３の回転により前記回転体３４が回転すると、該回転体３４に形成された前記凹部３５に下端が遊嵌している前記偏心回転軸３０が回転し、これによって前記揺動体２６が揺動し、前記ダイヤフラム２４，２４の下端部を上下動させる。そして、例えば、一方のダイヤフラム２４の下端部が下動された時、該ダイヤフラム２４内は負圧になり、前記排気弁体３８は前記環状凹溝３７の前記内壁面３７ａに密着し、即ち、前記排気弁部Ｖ2は閉じ、且つ、前記吸気弁体２８は前記貫通孔２９を閉塞状態から開放し、即ち、前記吸気弁部Ｖ1は開状態となり、前記空気導入孔２７ａから前記ダイヤフラム２４内へ吸気が行われる。次に、前記ダイヤフラム２４の下端部が上動された時、前記ダイヤフラム２４内は高圧になり、前記吸気弁体２８が前記貫通孔２９を閉塞して前記吸気弁部Ｖ1を閉状態にすると共に前記排気弁体３８が前記内壁面３７ａより拡径して前記排気弁部Ｖ2による排気が行われる。該排気弁体３８内より排出された空気は前記環状凹溝３７を通り前記排気孔３６から前記ケース２２外に排出される。
【００１５】
斯くして、本発明は偏心回転軸３０の上部に中ケース２２ｂから延設されて延設部３１が設けられると共に、該延設部３１の下部に下方に開口する凹部３２が形成され、他方、下ケース２２ｃの下部側に配置された回転駆動軸３３上端に回転体３４が固着され、該回転体３４上部の中心位置から離間した位置に凹部３５が形成され、前記偏心回転軸３０の上端が前記凹部３２に遊嵌され、下端が前記凹部３５に遊嵌されているから、前記偏心回転軸３０が回転し、揺動体２６が揺動する時、前記２つの凹部３２，３５間の距離は常に一定であり、従来例の如く、浮き上がり等が発生することがなく、又、ボールを使用していないため衝撃音が発生することもなく、前記揺動体２６の揺動による騒音を低減できる。
【００１６】
尚、本発明は、本発明の精神を逸脱しない限り種々の改変を為すことができ、そして、本発明が該改変されたものに及ぶことは当然である。
【００１７】
【発明の効果】
本発明は上記一実施の形態に詳述したように、偏心回転軸により揺動される揺動体によってダイヤフラムが上下動されてポンプ動作を行う小型ポンプに於て、ケースから延設されて該ケースの中心部に設けられた延設部に下方に開口する凹部が形成されると共に、該ケースの下部側に配置された回転体の中心位置から離間した位置に上方に開口する凹部が形成され、且つ、前記揺動体中心部に貫通されて固着された前記偏心回転軸の上端と下端とが前記上下２つの凹部に夫々遊嵌されているから、前記偏心回転軸が回転し、前記揺動体が揺動する時、前記２つの凹部間の距離は常に一定であり、従来例の如く、浮き上がり等が発生することがなく、又、ボールを使用していないため衝撃音が発生することもなく、前記揺動体の揺動による騒音を低減できる。
【００１８】
斯くして、本発明はダイヤフラムを使用する小型ポンプに於て、該ダイヤフラムを上下動させる揺動体の揺動による騒音を低減させることができる等、正に著大なる効果を奏する発明である。
【図面の簡単な説明】
【図１】本発明の一実施の形態を示し、小型ポンプの縦断面図。
【図２】従来例を示し、小型ポンプの縦断面図。
【符号の説明】
２１          小型ポンプ
２２          ケース
２３          ポンプ室
２４          ダイヤフラム
２６          揺動体
３０          偏心回転軸
３１          延設部
３２，３５    凹部
３４          回転体
【図１】
0004461598.tif 000002
【図２】
0004461598.tif 000003